(57)【要約】【課題】手動復帰型の空焚き防止用リミッタの動作状況の確認並びにその接点復帰処理が迅速に行える電気温水器を提供すること。【解決手段】ヒータの空焚きを検知して該ヒータへの通電を停止させる手動復帰型の空焚き防止用リミッタを備えた電気温水器において、本体ケース２０内に設けられた本体基板２２上に、空焚き防止用リミッタ１，４の動作状態を表示するＬＥＤ（表示器）１０を備えたことで、本体基板２２上のＬＥＤ１０の点灯、消灯状態を見るだけで、空焚き防止用リミッタ１，４の動作状況が容易に判断できるようにした。【選択図】　　　　図１
2004101007.tif 000002
【特許請求の範囲】
【請求項１】
空焚きを検知して該ヒータへの通電を停止させる手動復帰型の空焚き防止用リミッタを備えた電気温水器において、
本体ケース内に設けられた本体基板上に、前記空焚き防止用リミッタの動作状態を表示する表示器を備えたことを特徴とする電気温水器。
【請求項２】
前記表示器は、空焚き防止用リミッタの接点復帰スイッチを押して手動復帰させると、前記空焚き防止用リミッタの動作状態を停止することを特徴とする請求項１記載の電気温水器。
【請求項３】
前記表示器は、ＬＥＤで構成され、点灯又は点滅で空焚き防止用リミッタの動作状態を表示することを特徴とする請求項１記載の電気温水器。
【発明の詳細な説明】
【０００１】
【発明の属する技術分野】
本発明は、空焚きを検知してヒータへの通電を停止させる空焚き防止用リミッタを備えた電気温水器に関するものである。
【０００２】
【従来の技術】
従来から電気温水器には、ヒータの空焚きを防止するために、空焚き防止用リミッタが備えられている（例えば、特許文献１参照）。
この空焚き防止用リミッタは、ヒータの通電制御用リレーの駆動コイルのラインに挿入されていて、空焚き防止用リミッタが動作すると、通電制御用リレーへの通電が停止して、ヒータへの通電が停止される構成となっている。この空焚き防止用リミッタは、動作して接点が一度開くと、該空焚き防止用リミッタに備えられた接点復帰ボタンを押さない限り、接点が復帰しない手動復帰構造となっている。また、空焚き防止用リミッタは、異常温度を検知しやすいように、電気温水器のヒータ近傍に取り付けられ、かつ貯湯タンクと一緒に保温材で覆われて、放熱による影響を受けないようになっているのが一般的である。
【０００３】
【特許文献１】
特開平４−２０３７５２号公報（第１−２頁、第１図）
【０００４】
【発明が解決しようとする課題】
しかしながら、電気温水器は、空焚き防止用リミッタは保温材で覆われており、本体ケースを開けただけでは見えない位置に取り付けられていること、空焚き防止用リミッタが上ヒータと下ヒータの各々に備えられていること、空焚き防止用リミッタの接点復帰ボタンを押しても、接点が閉じたことは外観上では判断できないこと、などの問題があり、修理者の知識や経験により、電気温水器の修理時間に差がでるなどの問題があった。
【０００５】
本発明は、修理者の知識や経験によらず、空焚き防止用リミッタの動作状況の確認並びにその接点復帰処理を迅速に行える電気温水器を提供することを目的とする。
【０００６】
【課題を解決するための手段】
本発明に係る電気温水器は、ヒータの空焚きを検知して該ヒータへの通電を停止させる手動復帰型の空焚き防止用リミッタを備えた電気温水器において、本体ケース内に設けられた本体基板上に、前記空焚き防止用リミッタの動作状態を表示する表示器を備えたものである。
【０００７】
【発明の実施の形態】
実施の形態１．
以下、本発明の実施の形態１について説明する。
図１は本発明の実施の形態１を示す電気温水器の概略構造図であり、図２は本発明の実施の形態１を示す空焚き防止用リミッタ動作表示回路図である。
図１において、本体ケース２０内に設けられた貯湯タンク２３において、上ヒータ２の近傍には上ヒータ２の空焚き防止用リミッタ１が設置されている。また、下ヒータ５の近傍には下ヒータ５の空焚き防止用リミッタ４が設置されている。上ヒータ２の空焚き防止用リミッタ１及び下ヒータ５の空焚き防止用リミッタ４はそれぞれ通電制御用リレー３，６を介して本体ケース２０内に設けられた本体基板２２のコネクタ１４に接続されている。貯湯タンク２３及び前記空焚き防止用リミッタ１，４の外表面は保温材２１で覆われている。本体基板上２２には図２に示した空焚き防止用リミッタ動作表示回路７を備えており、空焚き防止用リミッタ１，４の動作状態を表示する表示器としてＬＥＤ１０を備えている。
【０００８】
図２において、前記空焚き防止用リミッタ動作表示回路７は、ダイオード８，９、フォトトランジスタ１２、抵抗１１、ＬＥＤ１０で構成され、空焚き防止用リミッタ１，４とダイオード８は直列回路を構成している。フォトトランジスタ１２とＬＥＤ１０は前記空焚き防止用リミッタ１，４、ダイオード８の直列回路と並列回路を構成して抵抗１１に接続されている。
なお、リレー１５，１６については、本発明の動作に直接関係のないリレーであり、ここでの説明は省略する。
【０００９】
次に、上記実施の形態１における空焚き防止用リミッタ動作表示回路７の動作について説明する。
まず、通常時は、上ヒータ２の空焚き防止用リミッタ１及び下ヒータ５の空焚き防止用リミッタ４が接点を閉じており、このときは、空焚き防止用リミッタ動作表示回路７には、電源ＤＣ２４Ｖ→上ヒータ２の空焚き防止用リミッタ１→下ヒータ５の空焚き防止用リミッタ４→ダイオード８→抵抗１１に電流が流れ、フォトトランジスタ１２はオフ状態で、ＬＥＤ１０は消灯している。
【００１０】
一方、空焚きやヒータ制御不能等の故障の異常時には、上ヒータ２の空焚き防止用リミッタ１又は下ヒータ５の空焚き防止用リミッタ４が上ヒータ２又は下ヒータ５の異常温度を検知して動作し、何れかの空焚き防止用リミッタが接点を開くことで、上ヒータ２の通電制御用リレー３又は下ヒータ５の通電制御用リレー６への電源供給を遮断して、上ヒータ２又は下ヒータ５への通電が停止される。これと同時に、空焚き防止用リミッタ動作表示回路７には、電源ＤＣ２４Ｖ→フォトトランジスタ１２の１番ピン→フォトトランジスタ１２の２番ピン→ＬＥＤ１０→抵抗１１に電流が流れ、フォトトランジスタ１２がオン状態となり、ＬＥＤ１０が点灯して、上ヒータ２の空焚き防止用リミッタ１又は下ヒータ５の空焚き防止用リミッタ４の何れかの空焚き防止用リミッタが動作していることを外部に表示する。
【００１１】
従って、本体基板２２のＬＥＤ１０の点灯状態をみれば、何れかの空焚き防止用リミッタが動作状態にあるということを容易に判断でき、いちいち保温材２１を取り除いて、上ヒータ２の空焚き防止用リミッタ１又は下ヒータ５の空焚き防止用リミッタ４を直接確認しなくても判断できる。
【００１２】
また、空焚き防止用リミッタ１，４の何れかが動作して、ＬＥＤ１０が点灯している場合、これら空焚き防止リミター１，４の接点復帰ボタンを押して、リミッタの接点を閉じる手動復帰処理を行うと、電源ＤＣ２４Ｖ→上ヒータ２の空焚き防止用リミッタ１→下ヒータ５の空焚き防止用リミッタ４→ダイオード８→抵抗１１に電流が流れて、フォトトランジスタ１２はオフ状態となり、ＬＥＤ１０は消灯する。
【００１３】
このように、上記実施の形態１の構成によれば、空焚き防止用リミッタ１，４の動作状態がＬＥＤ１０の点灯、消灯によって容易に判断できるので、修理者の電気温水器に対する知識や経験によらず、空焚き防止用リミッタの動作状況の確認並びにその接点復帰処理を迅速に行えるようになる。
【００１４】
なお、上記実施の形態１の空焚き防止用リミッタ動作表示回路７では、空焚き防止用リミッタ１，４の動作状態を表示する表示器を１個のＬＥＤ１０で表示するように構成しているが、この表示器を各リミッタ毎に個別に設けてもよい。また、表示器は点灯ではなく、点滅させるように構成してもよい。
【００１５】
【発明の効果】
以上説明したように、本発明によれば、本体ケース内に設けられた本体基板上に空焚き防止用リミッタの動作状態を表示する表示器を備えていることにより、空焚き防止用リミッタの動作状況を容易に判断できるので、修理者の知識や経験によらず、空焚き防止用リミッタの動作状況の確認、並びにその接点復帰処理を迅速に行える電気温水器を提供することができる。
【図面の簡単な説明】
【図１】本発明の実施の形態１を示す電気温水器の概略構造図である。
【図２】本発明の実施の形態１を示す電気温水器の空焚き防止用リミッタ動作表示回路図である。
【符号の説明】
１　上ヒータの空焚き防止用リミッタ、２　上ヒータ、３　上ヒータの通電制御用リレー、４　下ヒータの空焚き防止用リミッタ、５　下ヒータ、６　下ヒータの通電制御用リレー、７　空焚き防止用リミッタ動作表示回路、１０　ＬＥＤ（表示器）、２０　本体ケース、２１　保温材、２２　本体基板、２３　貯湯タンク。
【図１】
2004101007.tif 000003
【図２】
2004101007.tif 000004